(57)【要約】【課題】床や机等の面に沿って足または手を自由に移動させながらツボ押しによるマッサージを行うことができる手足用ツボマッサージ器を提供する。【解決手段】手足用ツボマッサージ器１は、ツボ押しボール２とボール支持部材３と装着部材４とを備える。ツボ押しボール２は、表面が凹凸に形成された疑似球体からなる。ボール支持部材３は、細長い形状で曲げ戻し自在であり、長さ方向の中間部でツボ押しボール２を回転可能に支持する。装着部材４は、ボール支持部材３の両端がそれぞれ取り付けられており、足首または手首に着脱可能である。【選択図】図３
2020110219.tif 000002
【特許請求の範囲】
【請求項１】
表面が凹凸に形成された疑似球体からなるツボ押しボールと、細長い形状で曲げ戻し自在であり、長さ方向の中間部で前記ツボ押しボールを回転可能に支持するボール支持部材と、このボール支持部材の両端がそれぞれ取り付けられており、足首または手首に着脱可能な装着部材とを備えることを特徴とする手足用ツボマッサージ器。
【請求項２】
請求項１に記載の手足用ツボマッサージ器において、前記ツボ押しボールは、このツボ押しボールの中心を通る貫通孔を有し、前記ボール支持部材が前記貫通孔に挿通された紐体である手足用ツボマッサージ器。
【請求項３】
請求項１に記載の手足用ツボマッサージ器において、前記ボール支持部材は、少なくとも長さ方向の中間部が筒状に形成され、その筒状部分に前記ツボ押しボールがいずれの方向にも回転可能に保持されている手足用ツボマッサージ器。
【発明の詳細な説明】
【技術分野】
【０００１】
本発明は、足や手のツボを手軽にマッサージすることができるツボ手足用マッサージ器に関する。
【背景技術】
【０００２】
足裏のマッサージ方法として、床と足裏との間にゴルフボールを配置し、そのゴルフボールを足裏で押し付けながら転がす方法がある。この方法によると、ゴルフボールからの反力により足裏のツボが押されるとともに、ゴルフボール表面の凹凸により足裏に適度の刺激が与えられる。
【０００３】
しかし、このゴルフボールを用いたマッサージ方法は、ゴルフボールを転がしている際に足裏から外れてしまい、マッサージ行為を中断せざるをえなくなることがある。このようなことが生じないように、互いに交差する縦溝および横溝に沿ってゴルフボール等の球体を転がすようにした球面式足裏指圧具が提案されている（特許文献１）。
【先行技術文献】
【特許文献】
【０００４】
【特許文献１】特開２０１４−０９４２５１号公報
【発明の概要】
【発明が解決しようとする課題】
【０００５】
しかし、特許文献１の球面式足裏指圧具は、球体の転がり方向が縦溝の方向および横溝の方向に限定されるため、ツボ押し方向が限定されて、十分なマッサージ効果が得られない場合がある。また、球体の移動可能範囲が縦溝および横溝の各長さの範囲に限定されるため、使用者が楽な姿勢で足を自由に移動させることができず、長時間の使用は苦痛を伴うことがある。
【０００６】
本発明の目的は、床や机等の面に沿って足または手を自由に移動させながらツボ押しによるマッサージを行うことができる手足用ツボマッサージ器を提供することである。
【課題を解決するための手段】
【０００７】
上記の課題を解決するために、本発明は、次のように構成した。すなわち、本発明の手足用ツボマッサージ器は、表面が凹凸に形成された疑似球体からなるツボ押しボールと、細長い形状で曲げ戻し自在であり、長さ方向の中間部で前記ツボ押しボールを回転可能に支持するボール支持部材と、このボール支持部材の両端がそれぞれ取り付けられており、足首または手首に着脱可能な装着部材とを備えることを特徴としている。
【０００８】
この構成の手足用ツボマッサージ器は、装着部材を足首または手首に装着して使用する。その状態で、ツボ押しボールを床、机等の面と、足裏または手のひらとの間に位置させて、足裏または手のひらでツボ押しボールを上記面に押し付ける。これにより、ツボ押しボールからの反力によって足裏または手のひらのツボが押される。また、足または手を床、机等の面と平行に移動させることによってツボ押しボールが転がる。その際に、ツボ押しボール表面の凹凸が、足裏または手のひらに適度の刺激を与える。このようなツボ押しと刺激によって、足裏または手のひらがマッサージされる。
【０００９】
ツボ押しボールはボール支持部材に支持されていて、足首または手首から一定距離以上離れないため、足裏や手のひらから外れることがない。また、ボール支持部材が曲げ戻し自在であるため、足や手を好きな方向に移動させることが可能である。このため、楽な姿勢を保ちながら、ツボ押し等によるマッサージを行うことができる。
【００１０】
本発明の手足用ツボマッサージ器において、前記ツボ押しボールは、このツボ押しボールの中心を通る貫通孔を有し、前記ボール支持部材が前記貫通孔に挿通された紐体であってもよい。
この場合、紐体であるボール支持部材における貫通孔に挿通された部分を中心にしてツボ押しボールが回転しながら転がる。ボール支持部材を紐体とすることで、比較的安価に製作することができる。
【００１１】
また、本発明の手足用ツボマッサージ器において、前記ボール支持部材は、少なくとも長さ方向の中間部が筒状に形成され、その筒状部分に前記ツボ押しボールがいずれの方向にも回転可能に保持されていてもよい。
この場合、ツボ押しボールがいずれの方向にも転がることができるため、足や手の移動自由度が高い。
【発明の効果】
【００１２】
本発明にかかる手足用ツボマッサージ器は、表面が凹凸に形成された疑似球体からなるツボ押しボールと、細長い形状で曲げ戻し自在であり、長さ方向の中間部で前記ツボ押しボールを回転可能に支持するボール支持部材と、このボール支持部材の両端がそれぞれ取り付けられており、足首または手首に着脱可能な装着部材とを備えるため、床や机等の上面に沿って足または手を自由に移動させながらツボ押しによるマッサージを行うことができる。
【図面の簡単な説明】
【００１３】
【図１】本発明の第１の実施形態にかかる手足用ツボマッサージ器の斜視図である。
【図２】同手足用ツボマッサージ器のツボ押しボールおよびその周辺部を示す一部断面図である。
【図３】同手足用ツボマッサージ器の使用状態を示す説明図である。
【図４】本発明の第２の実施形態にかかる手足用ツボマッサージ器の斜視図である。
【図５】同手足用ツボマッサージ器のツボ押しボールおよびその周辺部を示す一部断面図である。
【図６】同手足用ツボマッサージ器の使用状態を示す説明図である。
【発明を実施するための形態】
【００１４】
以下、本発明の実施の形態について図面に基づき説明する。
【００１５】
［第１の実施形態］
図１は本発明の第１の実施形態にかかる手足用ツボマッサージ器の斜視図である。この手足用ツボマッサージ器１は、ツボ押しボール２とボール支持部材３と装着部材４とからなる。
【００１６】
ツボ押しボール２は、表面が凹凸に形成された疑似球体である。この例では、表面が複数（例えば８０）の三角形の平面で構成された多面体である。このような多面体の場合、各平面の辺の交点の周辺部分が凸部となり、他の部分が凹部となる。ツボ押しボール２としては、多面体以外に、ゴルフボールのように部分的に凹部が形成された疑似球体であってもよい。ツボ押しボール２はゴム材等の弾性を有する素材で作られている。図２に示すように、ツボ押しボール２には、このツボ押しボール２の中心Ｏを通る直線状の貫通孔２ａが設けられている。
【００１７】
ボール支持部材３は、曲げ戻し自在な細長い形状の部材であって、この例では紐体とされている。この紐体からなるボール支持部材３は前記貫通孔２ａに挿通されており、その長さ方向の中間部でツボ押しボール２を回転可能に支持している。貫通孔２ａの直径はボール支持部材３がほぼ隙間なく挿通される程度とされており、ツボ押しボール２がボール支持部材３に沿って動き難くなっている。ボール支持部材３に、ツボ押しボール２の移動を規制するストッパ（図示せず）を設けておいてもよい。
【００１８】
装着部材４は、布等からなる広幅な帯状の部材であって、ある程度の伸縮性を有する。装着部材４の互いに離れた２箇所に、ボール支持部材３の両端３ａ，３ｂがそれぞれ取り付けられている。装着部材４の両端には、両者で面ファスナーを構成する２枚のシート４ａ，４ｂがそれぞれ個別に設けられている。装着部材４を足首または手首に巻き付け、その状態で両シート４ａ，４ｂを接合することで、装着部材４が足首または手首に装着される。
【００１９】
図３は、この手足用ツボマッサージ器１を足裏のマッサージに使用する状態を示す。同図に示すように、手足用ツボマッサージ器１の装着部材４を足首１０に装着する。そして、ツボ押しボール２を床面１１と足裏１２との間に位置させて、足裏１２でツボ押しボール２を床面１１に押し付ける。これにより、ツボ押しボール２からの反力によって足裏１２のツボが押される。また、足１３を床面１１と平行に移動させることによって、ボール支持部材３における貫通孔２ａに挿通された部分を中心にしてツボ押しボール２が回転しながら転がる。その際に、ツボ押しボール２の表面の凹凸が、足裏１２に適度の刺激を与える。このようなツボ押しと刺激によって、足裏１２がマッサージされる。
【００２０】
ツボ押しボール２はボール支持部材３に支持されていて、足首１０から一定距離以上離れないため、足裏１２から外れることがない。また、ボール支持部材３が曲げ戻し自在であるため、足１３を好きな方向に移動させることが可能である。このため、楽な姿勢を保ちながら、ツボ押し等によるマッサージを行うことができる。
【００２１】
この実施形態のように、ボール支持部材３を紐体とすると、ツボ押しボール２の転がり方向が制限されるが、比較的安価に製作することができるという利点がある。
【００２２】
［第２の実施形態］
図４は本発明の第２の実施形態にかかる手足用ツボマッサージ器の斜視図である。この手足用ツボマッサージ器２１も、ツボ押しボール２２とボール支持部材２３と装着部材２４とからなる。
【００２３】
ツボ押しボール２２は、第１の実施形態のツボ押しボール２と同様な疑似球体である。ただし、第２の実施形態のツボ押しボール２２には、貫通孔２ａ（図２参照）が設けられていない。
【００２４】
ボール支持部材２３は、布等からなる細長い筒状体で、曲げ戻し自在かつ伸縮自在である。図５に示すように、筒状体であるボール支持部材２３の長さ方向の中間部に、ツボ押しボール２２が保持されている。ボール支持部材２３の収縮力によって、ツボ押しボール２２はほぼ同じ位置に保持される。このように保持されたツボ押しボール２２は、ボール支持部材２３の内部でいずれの方向にも回転可能である。なお、ボール支持部材２３は、ツボ押しボール２２を保持する部分だけが筒状であってもよい。
【００２５】
装着部材２４は、この実施形態の場合、伸縮性を持たせて筒状に編まれた編み物からなる。この装着部材２４の外面における互いに離れた２箇所に、ボール支持部材２３の両端２３ａ，２３ｂがそれぞれ縫合によって取り付けられている。装着部材２４の伸縮性を利用して装着部材２４に足または手を差し込んで、装着部材２４を足首または手首に装着する。
【００２６】
図６は、この手足用ツボマッサージ器２１を手のひらのマッサージに使用する状態を示す。同図に示すように、手足用ツボマッサージ器２１の装着部材２４を手首３０に装着する。そして、ツボ押しボール２２を机等の上面３１と手のひら３２との間に位置させて、手のひら３２でツボ押しボール２２を上面３１に押し付ける。これにより、ツボ押しボール３２からの反力によって手のひら３２のツボが押される。また、手３３を上面３１と平行に移動させることによって、ツボ押しボール２２が上面３１を転がり、その際に、ツボ押しボール２２の表面の凹凸が手のひら３２に適度の刺激を与える。このようなツボ押しと刺激によって、手のひら３２がマッサージされる。
【００２７】
ツボ押しボール２２はボール支持部材２３に支持されていて、手首３０から一定距離以上離れないため、手のひら３２から外れることがない。また、ボール支持部材２３が曲げ戻し自在であるため、手３３を好きな方向に移動させることが可能である。このため、楽な姿勢を保ちながらツボ押し等によるマッサージを行うことができる。特に、この実施形態の場合、ツボ押しボール２３がいずれの方向にも転がることができるため、手３３の移動自由度が高い。
【産業上の利用可能性】
【００２８】
以上の説明では、第１の実施形態の手足用ツボマッサージ器１を足裏のマッサージに使用する例を示したが、手足用ツボマッサージ器１を手のひらのマッサージに使用することもできる。同様に、第２の実施形態の手足用ツボマッサージ器２１を足裏のマッサージに使用することもできる。
【符号の説明】
【００２９】
１  手足用ツボマッサージ器
２  ツボ押しボール
２ａ  貫通孔
３  ボール支持部材
４  装着部材
２１  手足用ツボマッサージ器
２２  ツボ押しボール
２３  ボール支持部材
２４  装着部材
【図１】
2020110219.tif 000003
【図２】
2020110219.tif 000004
【図３】
2020110219.tif 000005
【図４】
2020110219.tif 000006
【図５】
2020110219.tif 000007
【図６】
2020110219.tif 000008